(57)【要約】【課題】駆動部に起因する騒音の収音を低減できる交換レンズと、交換レンズを装着可能なカメラボディとを提供する。【解決手段】交換レンズ（１０１）と、交換レンズを装着可能なカメラボディ（１０２）が提供される。交換レンズ（１０１）は、被写体像の画角を変更可能なズームレンズ（１１２）と、カメラボディ（１０２）の収音特性を示す情報である収音特性情報をカメラボディ（１０２）から受信し、ズームレンズ（１１２）の駆動を制御するレンズ制御部（１２０）と、を備える。レンズ制御部（１２０）は、収音特性情報に基づいて、ズームレンズ（１１２）の設定可能な駆動速度である駆動可能速度を決定する。カメラボディ（１０２）は、周囲の音声を収音する収音部（１８０）と、収音部（１８０）の収音特性を示す情報である収音特性情報を記憶する記憶部（１５６）と、収音特性情報を交換レンズ（１０１）に送信する送信部（１５３）と、を備える。【選択図】図５Ｂ
2013092769.tif 000002
【特許請求の範囲】
【請求項１】
カメラボディに装着可能な交換レンズであって、
被写体像の画角を変更可能なズームレンズと、
前記カメラボディの収音特性を示す情報である収音特性情報を前記カメラボディから受信する受信部と、
前記ズームレンズの駆動を制御するレンズ制御部と、
を備え、
前記レンズ制御部は、前記収音特性情報に基づいて、前記ズームレンズの設定可能な駆動速度である駆動可能速度を決定する、
交換レンズ。
【請求項２】
前記ズームレンズの駆動速度と、前記ズームレンズが前記駆動速度で駆動された場合に発生する騒音の大きさとを関連付ける情報である騒音情報を記憶する記憶部をさらに備え、
前記レンズ制御部は、前記収音特性情報と、前記記憶部に記憶された前記騒音情報とに基づいて、前記駆動可能速度を決定する、
請求項１記載の交換レンズ。
【請求項３】
前記収音特性情報は、前記ズームレンズにおいて発生する騒音の前記カメラボディによる取り込み易さを示す情報である、
請求項１記載の交換レンズ。
【請求項４】
前記交換レンズおよび／または前記カメラボディは前記ズームレンズに関する操作を受け付ける操作部をさらに備え、
前記レンズ制御部は、前記駆動可能速度がとりうる値の中で最大の値を最大駆動速度に決定し、
前記レンズ制御部は、前記操作部が操作を受け付けたとき、前記ズームレンズの駆動速度を前記最大駆動速度に設定する、
請求項１記載の交換レンズ。
【請求項５】
前記交換レンズおよび／または前記カメラボディは前記ズームレンズに関する操作を受け付ける操作部をさらに備え、
前記レンズ制御部は、前記駆動可能速度がとりうる値の中で最大の値を最大駆動速度に決定し、
前記レンズ制御部は、前記操作部によって受け付けられた操作に基づいて前記ズームレンズの駆動速度である実効駆動速度を決定し、
前記レンズ制御部は、
前記実効駆動速度が前記最大駆動速度以上の場合、前記ズームレンズの駆動速度を前記最大駆動速度に設定し、
前記実効駆動速度が前記最大駆動速度未満の場合、前記ズームレンズの駆動速度を前記実効駆動速度に設定する、
請求項１記載の交換レンズ。
【請求項６】
交換レンズを装着可能なカメラボディであって、
周囲の音声を収音する収音部と、
前記収音部の収音特性を示す情報である収音特性情報を記憶する記憶部と、
前記収音特性情報を前記交換レンズに送信する送信部と、
を備えるカメラボディ。
【請求項７】
前記収音特性情報は、前記交換レンズにおいて発生する騒音の前記カメラボディによる取り込み易さを示す情報である、
請求項６記載のカメラボディ。
【請求項８】
カメラボディと前記カメラボディに装着可能な交換レンズとを含むカメラシステムであって、
前記カメラボディは、
周囲の音声を収音する収音部と、
前記収音部の収音特性を示す情報である収音特性情報を記憶する記憶部と、
前記収音特性情報を前記交換レンズに送信する送信部と、
を有し、
前記交換レンズは、
被写体像の画角を変更可能なズームレンズと、
前記収音特性情報を前記カメラボディから受信する受信部と、
前記ズームレンズの駆動を制御するレンズ制御部と、
を有し、
前記レンズ制御部は、前記収音特性情報に基づいて、前記ズームレンズの設定可能な駆動速度である駆動可能速度を決定する、
カメラシステム。
【請求項９】
前記交換レンズは、
前記ズームレンズの駆動速度と、前記ズームレンズが前記駆動速度で駆動された場合に発生する騒音の大きさとを関連付ける情報である騒音情報を記憶するレンズ記憶部をさらに有し、
前記レンズ制御部は、前記収音特性情報と、前記レンズ記憶部に記憶された前記騒音情報とに基づいて、前記駆動可能速度を決定する、
請求項８記載のカメラシステム。
【請求項１０】
前記収音特性情報は、前記ズームレンズにおいて発生する騒音の前記カメラボディによる取り込み易さを示す情報である、
請求項８記載のカメラシステム。
【請求項１１】
前記交換レンズおよび／または前記カメラボディは前記ズームレンズに関する操作を受け付ける操作部をさらに有し、
前記レンズ制御部は、前記駆動可能速度がとりうる値の中で最大の値を最大駆動速度に決定し、
前記レンズ制御部は、前記操作部が操作を受け付けたとき、前記ズームレンズの駆動速度を前記最大駆動速度に設定する、
請求項８記載のカメラシステム。
【請求項１２】
前記交換レンズおよび／または前記カメラボディは前記ズームレンズに関する操作を受け付ける操作部をさらに有し、
前記レンズ制御部は、前記駆動可能速度がとりうる値の中で最大の値を最大駆動速度に決定し、
前記レンズ制御部は、前記操作部によって受け付けられた操作に基づいて前記ズームレンズの駆動速度である実効駆動速度を決定し、
前記レンズ制御部は、
前記実効駆動速度が前記最大駆動速度以上の場合、前記ズームレンズの駆動速度を前記最大駆動速度に設定し、
前記実効駆動速度が前記最大駆動速度未満の場合、前記ズームレンズの駆動速度を前記実効駆動速度に設定する、
請求項８記載のカメラシステム。
【発明の詳細な説明】
【技術分野】
【０００１】
本開示は、交換レンズ内の駆動対象を制御する交換レンズおよびカメラボディに関する。
【背景技術】
【０００２】
収音用のマイクロホンを備えることにより音声データを記録可能なデジタルカメラが知られている。このようなデジタルカメラにおいて、マイクロホンが外界の音を収音可能である一方で、マイクロホンが、デジタルカメラ内の駆動部（例えば、レンズの駆動部）で発生し筺体等で伝達された振動を騒音として収音してしまうという問題がある。
【０００３】
このような問題を解決するための技術が、例えば特許文献１に開示されている。特許文献１に開示されたデジタルカメラでは、マイクロホンがこのような騒音を収音しないように、弾性部材等がマイクロホンを覆う。
【先行技術文献】
【特許文献】
【０００４】
【特許文献１】特開２００６−３５２３４２号公報
【発明の概要】
【発明が解決しようとする課題】
【０００５】
本開示は、駆動部に起因する騒音の収音を低減できる交換レンズと、交換レンズを装着可能なカメラボディとを提供する。
【課題を解決するための手段】
【０００６】
本開示において、カメラボディに装着可能な交換レンズが提供される。交換レンズは、被写体像の画角を変更可能なズームレンズと、カメラボディの収音特性を示す情報である収音特性情報をカメラボディから受信する受信部と、ズームレンズの駆動を制御するレンズ制御部と、を備える。レンズ制御部は、収音特性情報に基づいて、ズームレンズの設定可能な駆動速度である駆動可能速度を決定する。
【０００７】
また、本開示において、交換レンズを装着可能なカメラボディが提供される。カメラボディは、周囲の音声を収音する収音部と、収音部の収音特性を示す情報である収音特性情報を記憶する記憶部と、収音特性情報を交換レンズに送信する送信部と、を備える。
【発明の効果】
【０００８】
本開示における交換レンズおよびカメラボディによれば、交換レンズは、カメラボディから送信された収音特性情報に基づいて、ズームレンズの駆動可能速度を決定する。これにより、カメラボディの収音部によって収音されるズームレンズの駆動に起因する騒音を従来より低減することが可能となる。
【図面の簡単な説明】
【０００９】
【図１】図１は本実施形態のデジタルカメラの斜視図である。
【図２】図２は本実施形態のデジタルカメラの背面図である。
【図３】図３は本実施形態のデジタルカメラの電気的構成を示すブロック図である。
【図４】図４は、本実施形態のデジタルカメラの初期動作を説明するためのシーケンスチャートである。
【図５Ａ】図５Ａは、本実施形態の交換レンズの騒音情報の一例を示す表である。
【図５Ｂ】図５Ｂは、本実施形態の交換レンズの騒音の大きさおよびカメラボディの収音特性と、ズームレンズの設定可能な駆動速度との対応を説明するための表である。
【図６】図６は、本実施形態のデジタルカメラのズーム動作を説明するためのシーケンスチャートである。
【発明を実施するための形態】
【００１０】
以下、添付の図面を参照しながら、本発明の実施形態について説明する。以下、実施形態としてデジタルカメラを一例として挙げる。
【００１１】
ただし、必要以上に詳細な説明を省略する場合がある。例えば、既によく知られた事項の詳細な説明および実質的に同一の構成に対する重複した説明を省略する場合がある。これは、以下の説明が不必要に冗長になるのを避けることで、当業者の理解を容易にするためである。
【００１２】
なお、発明者（ら）は、当業者が本開示を充分に理解できるよう以下の説明および添付の図面を開示するのであって、以下の説明および添付の図面によって特許請求の範囲の主題を限定することを意図しない。
【００１３】
＜１．デジタルカメラの構成＞
＜１−１．デジタルカメラの構成の概要＞
図１を参照して本実施形態のデジタルカメラの構成の概要について説明する。デジタルカメラ１００は、交換レンズ１０１と、交換レンズ１０１を装着可能なカメラボディ１０２とで構成される。交換レンズ１０１は、使用者の操作に基づいてズームレンズ駆動部（アクチュエータ等）が制御されることにより、ズーム倍率を変更できる。
【００１４】
交換レンズ１０１は、ズームリング１１５とズームレバー１１８等とを備える。ズームリング１１５および／またはズームレバー１１８は、使用者の操作を受け付けると、使用者の操作に基づいて、交換レンズ１０１のズームレンズを制御する。
【００１５】
カメラボディ１０２は、レリーズ釦１６０とマイクロホン１８０等とを備える。カメラボディ１０２は、レリーズ釦１６０が使用者の操作を受け付けると、装着した交換レンズ１０１に対して、オートフォーカス動作の制御信号を送信したり、交換レンズ１０１を介して形成される被写体像の撮影動作を実行したりすることが可能である。
【００１６】
マイクロホン１８０はカメラボディ１０２の上面に設置される。マイクロホン１８０は、動画撮影時の録音のために使用される。
【００１７】
図２を参照してカメラボディ１０２の背面部に備えられた構成要素について説明する。カメラボディ１０２は、その背面部に液晶モニタ１６３と、タッチパネル１６２と、中央釦２０４および十字釦２０５を含むカメラ側操作部１７０等とを備える。タッチパネル１６２および／またはカメラ側操作部１７０が使用者の操作を受け付けると、カメラボディ１０２は、操作内容に基づいて、各種動作を実行する。
【００１８】
図３を参照してデジタルカメラ１００の構成について説明する。交換レンズ１０１は、レンズコントローラ１２０と、レンズマウント１３０と、フォーカスレンズ１１０およびズームレンズ１１２を含む光学系と、フォーカスレンズ駆動部１１１と、ズームレンズ駆動部１１３と、絞り１１６と、絞り駆動部１１７と、ズームリング１１５と、ズームレバー１１８と、ＤＲＡＭ１２１と、フラッシュメモリ１２２等とを備える。また、カメラボディ１０２は、カメラコントローラ１５３と、ボディマウント１４０と、ＣＭＯＳイメージセンサ１５０と、タイミングジェネレータ（ＴＧ）１５１と、アナログ・フロント・エンド（ＡＦＥ）１５２と、液晶モニタ１６３と、タッチパネル１６２と、レリーズ釦１６０と、カメラ側操作部１７０と、マイクロホン１８０と、電源１５４と、ＤＲＡＭ１５５と、フラッシュメモリ１５６と、カードスロット１６５と、メモリカード１６４等とを備える。また、点線ＬＡは光軸を示す。
【００１９】
＜１−２．交換レンズの構成＞
交換レンズ１０１の構成について説明する。
レンズコントローラ１２０は、交換レンズ１０１の各部を制御する。レンズコントローラ１２０は、ズームリング１１５および／またはズームレバー１１８が使用者の操作を受け付けると、受け付けられた操作に基づいて、ズームレンズ駆動部１１３にズームレンズ１１２を駆動するよう命令する。またレンズコントローラ１２０は、ＤＲＡＭ１２１とフラッシュメモリ１２２とに接続されているので、必要に応じて情報をＤＲＡＭ１２１および／またはフラッシュメモリ１２２に書き込んだり、ＤＲＡＭ１２１および／またはフラッシュメモリ１２２から読み出したりすることが可能である。また、レンズコントローラ１２０は、レンズマウント１３０を介して、カメラコントローラ１５３と通信する。なお、レンズコントローラ１２０は、ハードワイヤードな電子回路で構成されてもよいし、プログラムを用いたマイクロコンピュータ等で構成されてもよい。
【００２０】
レンズマウント１３０は、カメラボディ１０２のボディマウント１４０と連携して、交換レンズ１０１をカメラボディ１０２と機械的および電気的に接続するための接続部材である。交換レンズ１０１がカメラボディ１０２と機械的および電気的に接続されることで、レンズコントローラ１２０はカメラコントローラ１５３と通信可能となる。
【００２１】
ＤＲＡＭ１２１は、レンズコントローラ１２０が各種制御を実行するとき、ワークメモリとして使用される。また、フラッシュメモリ１２２は、レンズコントローラ１２０が各種制御を実行するときに使用するプログラム、パラメータおよび／またはレンズデータ等を格納している。
【００２２】
フォーカスレンズ１１０は、交換レンズ１０１の光学系に入射されＣＭＯＳイメージセンサ１５０上に形成される被写体像のフォーカス状態を変化させるためのレンズである。フォーカスレンズ１１０は、単数のレンズで構成されても、複数のレンズで構成されてもよい。またフォーカスレンズ１１０は、単数の群で構成されても、複数の群で構成されてもよい。フォーカスレンズ駆動部１１１は、レンズコントローラ１２０から送信される制御信号に基づいて、フォーカスレンズ１１０が光学系の光軸ＬＡに沿って進退するようフォーカスレンズ１１０を駆動する。なお、フォーカスレンズ駆動部１１１は、例えば、ステッピングモータ、ＤＣモータまたは超音波モータ等により実現される。
【００２３】
ズームレンズ１１２は、交換レンズ１０１の光学系で形成される被写体像の倍率を変化させるためのレンズである。ズームレンズ１１２は、単数のレンズで構成されても、複数のレンズで構成されてもよい。またズームレンズ１１２は、単数の群で構成されても、複数の群で構成されてもよい。ズームレンズ駆動部１１３は、レンズコントローラ１２０から送信される制御信号に基づいて、ズームレンズ１１２が光学系の光軸ＬＡに沿って進退するようズームレンズ１１２を駆動する。なお、ズームレンズ駆動部１１３は、例えば、ステッピングモータ、ＤＣモータまたは超音波モータ等により実現される。
【００２４】
また、ズームレンズ１１２は２つの駆動速度の内のいずれかで駆動される。以下、２つの駆動速度の内、駆動速度が大きい方を「高速」、駆動速度が小さいほうを「低速」という。
【００２５】
絞り１１６は、交換レンズ１０１の光学系に入射する光量を調節するための調節部材である。絞り１１６は、開閉可能な複数の機械羽根で構成される。絞り駆動部１１７は、レンズコントローラ１２０から送信される制御信号に基づいて、絞り１１６を構成する機械羽根の開閉の度合いを変化させる。なお、絞り駆動部１１７は、例えば、ステッピングモータ、ＤＣモータまたは超音波モータ等により実現される。
【００２６】
ズームリング１１５は、交換レンズ１０１の外面に設置された操作部材である。ズームリング１１５は、交換レンズ１０１に対して回転可能に設置される。不図示の検出部は、ズームリング１１５の回転位置および回転速度を検出し、レンズコントローラ１２０に通知する。レンズコントローラ１２０は、通知されたズームリング１１５の回転位置および／または回転速度に基づいて、ズームレンズ駆動部１１３に対して駆動制御信号を供給する。レンズコントローラ１２０は、ズームリング１１５によって受け付けられた操作に基づいて、ズームレンズ駆動部１１３がズームレンズ１１２を駆動するよう、ズームレンズ駆動部１１３に駆動制御信号を供給する。ただし、このときのズームレンズ１１２の駆動速度は、ズームレンズ駆動部１１３がズームレンズ１１２を駆動可能な速度の範囲内で、交換レンズ１０１とカメラボディ１０２との組み合わせにより決まる駆動速度以下になるように、決定される。ズームレンズ１１２の駆動速度の決定方法については後述する。
【００２７】
ズームレバー１１８は、交換レンズ１０１の外面に設置された操作部材である。ズームレバー１１８は３点トグルスイッチで構成される。レンズコントローラ１２０は、ズームレバー１１８が倒されたことを検出すると、ズームレバー１１８が倒された方向に基づいて、ズームレンズ駆動部１１３に対して駆動制御信号を供給する。ズームレバー１１８によってズーム操作が受け付けられた場合、ズームレンズ１１２の駆動速度は、ズームレンズ駆動部１１３がズームレンズ１１２を駆動可能な速度の範囲内で、交換レンズ１０１とカメラボディ１０２との組み合わせにより決まる駆動速度に決定される。よって、ズームレバー１１８によってズーム操作が受け付けられた場合、ズームリング１１５によってズーム操作が受け付けられた場合と異なり、ズームレンズ１１２は一定速度で駆動される。
【００２８】
なお、レンズコントローラ１２０は、ズームレバー１１８の倒された方向および角度を検出して、検出した方向と角度に基づいて、ズームレンズ１１２の駆動速度を決定してもよい。この場合、ズーム倍率は、ズームレバー１１８が倒された方向と角度で決まる一定速度で変化する。
【００２９】
フラッシュメモリ１２２は交換レンズ１０１の騒音情報（図５Ａ参照）を記憶している。「騒音情報」とは、交換レンズ１０１がズーム動作を実行するときに発する騒音とズーム速度との関係を示す情報である。すなわち、騒音情報は、ズームレンズ１１２をどのくらいの速度で動かすとどのくらいの騒音を発生するかを示す情報である。したがって、騒音情報は、交換レンズの機種毎に固有の情報である。なお、ズームレンズ１１２の駆動速度が大きくなると、ズームレンズ１１２の駆動に起因する騒音は大きくなる。また、フラッシュメモリ１２２は、ズームレンズ１１２の最大駆動速度の決定のためのテーブル（図５Ｂ参照）を記憶している。このテーブルの詳細については後述する。
【００３０】
騒音情報において、ズームレンズ１１２が駆動されたときに発生する騒音の大きさは「小」、「中」または「大」の３段階で示される。本実施形態の騒音情報は、低速駆動時のズームレンズ１１２の騒音の大きさと、高速駆動時のズームレンズ１１２の騒音の大きさとを示す。すなわち、低速および高速の各々に対して「小」、「中」および「大」のいずれかが示される。ここで、本実施形態の騒音情報において、低速駆動時の騒音の大きさは高速駆動時の騒音の大きさよりも小さい値が設定される。例えば、高速駆動時の騒音の大きさが「中」である場合、低速駆動時の騒音の大きさは「小」に設定される。
【００３１】
＜１−３．カメラボディの構成＞
カメラボディ１０２の構成について説明する。
カメラコントローラ１５３は、レリーズ釦１６０、タッチパネル１６２および／またはカメラ側操作部１７０によって受け付けられた操作に基づいて、デジタルカメラ１００の各部（ＣＭＯＳイメージセンサ１５０等）を制御する。また、カメラコントローラ１５３は、垂直同期信号をＴＧ１５１に送信する。これと並行して、カメラコントローラ１５３は、垂直同期信号に基づいて露光同期信号を生成する。カメラコントローラ１５３は、生成した露光同期信号を、ボディマウント１４０およびレンズマウント１３０を通じて、レンズコントローラ１２０に定期的に送信する。また、カメラコントローラ１５３は、ＤＲＡＭ１５５およびフラッシュメモリ１５６に接続されているので、必要に応じて情報をＤＲＡＭ１５５および／またはフラッシュメモリ１５６に書き込んだり、ＤＲＡＭ１５５および／またはフラッシュメモリ１５６から読み出したりすることが可能である。また、カメラコントローラ１５３は、ハードワイヤードな電子回路で構成されてもよいし、プログラムを用いたマイクロコンピュータ等で構成されてもよい。
【００３２】
ＤＲＡＭ１５５は、カメラコントローラ１５３が各種制御を実行するときに、ワークメモリとして使用される。また、フラッシュメモリ１５６は、カメラコントローラ１５３が各種制御を実行するときに使用するプログラムおよびパラメータ等を格納している。
【００３３】
ＣＭＯＳイメージセンサ１５０は、交換レンズ１０１を通じて入射された被写体像を撮像して画像データを生成する。生成された画像データは、ＡＦＥ１５２によってアナログ形式からデジタル形式に変換される。ＡＦＥ１５２によってデジタル化された画像データは、カメラコントローラ１５３によって各種の画像処理が施される。カメラコントローラ１５３での画像処理は、例えば、ガンマ補正処理、ホワイトバランス補正処理、キズ補正処理、ＹＣ変換処理、電子ズーム処理および／またはＪＰＥＧ圧縮処理等を含む。なお、これら以外の画像処理が画像データに施されてもよい。また本実施形態において、ＣＭＯＳイメージセンサ１５０に代えて、例えばｎＭＯＳイメージセンサやＣＣＤイメージセンサ等、他の撮像素子が用いられてもよい。
【００３４】
ＣＭＯＳイメージセンサ１５０は、ＴＧ１５１で制御されるタイミングで動作する。ＴＧ１５１で制御されるＣＭＯＳイメージセンサ１５０の動作は、静止画像の撮像動作、スルー画像の撮像動作、データ転送動作および／または電子シャッタ動作等を含む。スルー画像は主に動画像である。液晶モニタ１６３は、静止画像の撮像のための構図を使用者に決めさせるために、スルー画像を表示する。
【００３５】
液晶モニタ１６３は、カメラボディ１０２の背面部に設置される。液晶モニタ１６３はカメラコントローラ１５３で処理された表示用の画像データに基づく画像を表示する。液晶モニタ１６３は、動画像および静止画を選択的に表示する。また、液晶モニタ１６３は、画像の他に、デジタルカメラ１００の各種設定および条件等を表示する。なお、本実施形態では、表示手段の一例として液晶モニタ１６３が用いられるが、液晶モニタ１６３の代わりに例えば有機ＥＬディスプレイ等の表示手段が用いられてもよい。
【００３６】
タッチパネル１６２は、液晶モニタ１６３の表面に設けられており、使用者によってタッチされたタッチパネル１６２上の電極の位置に関する情報を生成する。タッチパネル１６２は、電極位置に関する情報に基づいて、使用者によってタッチされたタッチパネル１６２上の位置を算出してカメラコントローラ１５３に通知する。
【００３７】
ボディマウント１４０は、交換レンズ１０１のレンズマウント１３０と連携して、交換レンズ１０１をカメラボディ１０２と機械的および電気的に接続するための接続部材である。交換レンズ１０１がカメラボディ１０２と機械的および電気的に接続されることで、レンズコントローラ１２０はカメラコントローラ１５３と通信可能となる。ボディマウント１４０は、カメラコントローラ１５３から受信した露光同期信号およびその他制御信号を、レンズマウント１３０を介してレンズコントローラ１２０に送信する。また、ボディマウント１４０は、レンズマウント１３０を介してレンズコントローラ１２０から受信した各種信号を、カメラコントローラ１５３に送信する。
【００３８】
電源１５４は、電力をデジタルカメラ１００の各部に供給する。電源１５４は、例えば乾電池であってもよいし、充電池であってもよい。また電源１５４は、電源コードで外部から供給される電力をデジタルカメラ１００の各部に供給してもよい。カメラボディ１０２の電源スイッチ（図示せず）がオンに切り替えられると、カメラコントローラ１５３は電源１５４に、電力をデジタルカメラ１００の各部に供給するよう命令する。電源１５４は、電力供給の命令を受信すると、電力をカメラボディ１０２の各部に供給する。また電源１５４は電力を、ボディマウント１４０およびレンズマウント１３０を通じて交換レンズ１０１に供給する。すると、レンズコントローラ１２０は電力を交換レンズ１０１の各部に供給する。
【００３９】
カードスロット１６５は、メモリカード１６４を着脱可能な接続手段である。カードスロット１６５は、メモリカード１６４をデジタルカメラ１００と電気的および機械的に接続可能である。なお、カードスロット１６５は、メモリカード１６４を制御する機能を備えてもよい。
【００４０】
メモリカード１６４は、内部にフラッシュメモリ等の記憶手段を備えた外部メモリである。メモリカード１６４は、カメラコントローラ１５３で処理された画像データ等のデータを記憶可能である。また、メモリカード１６４は、記憶した画像データ等のデータをカメラコントローラ１５３に出力できる。メモリカード１６４から出力された画像データはカメラコントローラ１５３で処理される。処理された画像データに基づく画像は例えば液晶モニタ１６３に再生表示される。
【００４１】
レリーズ釦１６０は、使用者の操作を受け付ける。レリーズ釦１６０は、半押し状態と全押し状態の２つの状態を取りうる押下式釦である。レリーズ釦１６０が半押し状態にされると、カメラコントローラ１５３はオートフォーカス動作を実行する。また、レリーズ釦１６０が全押し状態にされると、カメラコントローラ１５３は全押し操作のタイミングに生成された画像データをメモリカード１６４に記憶させる。
【００４２】
カメラ側操作部１７０は、中央釦２０４および十字釦２０５を含む操作部材の総称である。カメラ側操作部１７０が使用者の操作を受け付けると、カメラコントローラ１５３は、受け付けられた操作の内容に基づいて、各種制御を実行する。
【００４３】
マイクロホン１８０は、動画撮影時にデジタルカメラ１００の周囲の音声を取り込み、カメラコントローラ１５３に音声に基づくアナログ形式の信号を送信する。カメラコントローラ１５３は、受信した信号をデジタル形式に変換して、メモリカード１６４に記憶させる。
【００４４】
フラッシュメモリ１５６は、カメラボディ１０２の収音特性を示す情報である収音特性情報（図５Ｂの左部参照）を記憶している。収音特性情報は、マイクロホン１８０単体の収音特性を示すのではなく、マイクロホン１８０の収音特性、カメラボディ１０２の形状、カメラボディ１０２におけるマイクロホン１８０の位置および／またはカメラボディ１０２に装着された交換レンズ１０１とマイクロホン１８０との距離等が考慮された収音特性を示す。つまり、収音特性情報は、マイクロホン１８０による収音において交換レンズ１０１からの騒音の取り込みやすさを示す情報である。収音特性情報は、カメラボディ１０２の機種毎に固有の情報である。
【００４５】
収音特性情報は、交換レンズ１０１からの騒音の取り込みやすさ（収音特性）を「弱」、「中」または「強」の３段階で示す。収音特性が「弱」であるカメラボディ１０２は、収音時に交換レンズ１０１からの騒音を、収音特性が「強」であるカメラボディ１０２より取り込みにくい。一方、収音特性が「強」であるカメラボディ１０２は、収音時に交換レンズ１０１からの騒音を、収音特性が「弱」であるカメラボディ１０２より取り込みやすい。また、収音特性が「中」であるカメラボディ１０２の騒音の取り込みやすさは、収音特性が「弱」であるカメラボディ１０２の騒音の取り込みやすさと収音特性が「強」であるカメラボディ１０２の騒音の取り込みやすさとの中間である。
【００４６】
＜２．デジタルカメラの動作＞
＜２−１．デジタルカメラの動作の概要＞
デジタルカメラ１００の動作の概要について説明する。
カメラボディ１０２が交換レンズ１０１を装着した状態でカメラボディ１０２の電源スイッチがオンに切り替えられると、電力がカメラボディ１０２の電源１５４からデジタルカメラ１００の各部へ供給された後、各種初期設定が実行される。
【００４７】
次にレンズコントローラ１２０は、カメラコントローラ１５３に対して収音特性情報を要求する。カメラコントローラ１５３は、フラッシュメモリ１５６に記憶された収音特性情報をレンズコントローラ１２０に送信する。レンズコントローラ１２０は、収音特性情報と、交換レンズ１０１のフラッシュメモリ１２２に記憶された騒音情報とに基づいて、ズームレンズ１１２の駆動速度の最大値（最大駆動速度）を決定する。
【００４８】
そしてレンズコントローラ１２０は、ズームリング１１５等がズーム操作を受け付けたとき、最大駆動速度でズームレンズ１１２を駆動する。
【００４９】
＜２−２．初期動作＞
図４を参照して、カメラボディ１０２に交換レンズ１０１が装着された状態で、電源スイッチがオンに切り替えられたときに実行される初期動作について説明する。
【００５０】
カメラボディ１０２に交換レンズ１０１が装着された状態で、カメラボディ１０２の電源スイッチがオンに切り替えられると（Ｓ３００）、電源１５４は電力をボディマウント１４０およびレンズマウント１３０を通じて交換レンズ１０１に供給する（Ｓ３０１）。これにより電力が交換レンズ１０１の各部に供給される（Ｓ３０２）。
【００５１】
次に、カメラコントローラ１５３は、レンズコントローラ１２０に対して、交換レンズ１０１のレンズ認証情報を要求する（Ｓ３０３）。ここで、「レンズ認証情報」は、カメラコントローラ１５３がカメラボディ１０２に装着された交換レンズ１０１の特徴を把握するために参照する情報である。レンズ認証情報は、カメラボディ１０２に装着された交換レンズ１０１に関する情報と、交換レンズ１０１がカメラボディ１０２に装着されているか否かを示す情報とを含む。レンズコントローラ１２０は、カメラコントローラ１５３からのレンズ認証情報の要求に対して、レンズ認証情報をカメラボディ１０２へ送信することによって応答する（Ｓ３０４）。この応答により、カメラコントローラ１５３は、交換レンズ１１２の認証を完了し、カメラボディ１０２に交換レンズ１０１が装着されているか否か等を把握する（Ｓ３０５）。
【００５２】
次に、カメラコントローラ１５３は、レンズコントローラ１２０に対して、交換レンズ１０１の初期化動作を実行するよう要求する（Ｓ３０６）。レンズコントローラ１２０は、初期化動作の要求を受信すると、フォーカスレンズ１１０のリセット、ズームレンズ１１２のリセットおよび絞り１１６のリセット等の初期化動作を行う（Ｓ３０７）。ここで、レンズの初期化とは、例えば、ズームレンズ１１２を所定の位置へ駆動することである。そして、レンズコントローラ１２０は、カメラコントローラ１５３に対して、交換レンズ１０１の初期化動作が完了したことを通知する（Ｓ３０８）。これにより、カメラコントローラ１５３は、レンズが初期化されたことを把握する（Ｓ３０９）。
【００５３】
次に、カメラコントローラ１５３は、レンズコントローラ１２０に対して、交換レンズ１０１に関するデータであるレンズデータを要求する（Ｓ３１０）。レンズデータは、交換レンズ１０１のフラッシュメモリ１２２に記憶されている。
【００５４】
レンズコントローラ１２０は、レンズデータの要求をカメラコントローラ１５３から受信すると、フラッシュメモリ１２２からレンズデータを読み出す（Ｓ３１１）。そして、レンズコントローラ１２０は、読み出したレンズデータを、カメラコントローラ１５３に送信する。このとき、レンズコントローラ１２０が収音特性情報に基づいてズームレンズ１１２の最大駆動速度を決定する機能を有する場合、レンズコントローラ１２０はカメラコントローラ１５３に対して収音特性情報を要求する（Ｓ３１２）。ここで、レンズデータは、レンズの名称、Ｆナンバー、ズーム制御可能範囲や、フォーカス制御可能範囲、操作部材に関する情報等、交換レンズ１０１固有の特性値を含む。また、レンズデータは、電動ズーム機能の有無（交換レンズ１０１において、ズームレンズ１１２が使用者の操作に基づいて機械的に駆動されるのではなく、ズームレンズ駆動部１１３によって駆動されるのか否か）を示す情報を含む。カメラコントローラ１５３は、レンズコントローラ１２０から、電動ズーム機能の有無を示す情報および操作部材に関する情報を取得することにより、装着された交換レンズ１０１の電動ズーム機能の有無および交換レンズ１０１で利用できる操作部材を把握する。
【００５５】
本実施形態の交換レンズ１０１は、電動ズーム機能に関する操作部材としてズームリング１１５およびズームレバー１１８を備える。したがって、レンズデータは、交換レンズ１０１がズームリング１１５およびズームレバー１１８という２つの操作部材を備えることを示す情報を含む。カメラコントローラ１５３は、カメラボディ１０２が交換レンズ１０１の電動ズーム機能および操作部材（ズームリング１１５およびズームレバー１１８）に対応している場合、交換レンズ１０１に対する電動ズームに関する各種制御を実行できる。また、カメラボディ１０２が電動ズームに対応している場合、カメラコントローラ１５３は収音特性情報を交換レンズ１０１に送信できる。以上の動作により、カメラコントローラ１５３は、装着された交換レンズ１０１のレンズデータの取得を完了する（Ｓ３１３）。
【００５６】
カメラコントローラ１５３は、レンズデータの受信時に、収音特性情報の送信の要求を受信した場合、収音特性情報をフラッシュメモリ１５６から読み出す（Ｓ３１４）。そしてカメラコントローラ１５３は収音特性情報をレンズコントローラ１２０に送信する（Ｓ３１５）。
【００５７】
レンズコントローラ１２０は、カメラコントローラ１５３から収音特性情報を受信すると、受信した収音特性情報と、フラッシュメモリ１２２に記憶された騒音情報とに基づいて、ズームレンズ１１２の最大駆動速度（最大ズーム速度）を決定する（Ｓ３１６）。最大駆動速度の決定方法の詳細は後述する。
【００５８】
カメラボディ１０２は、カメラボディ１０２に装着された交換レンズ１０１のレンズデータを取得すると、撮像可能になる。カメラコントローラ１５３は、撮像可能であるとき、レンズコントローラ１２０に対して、交換レンズ１０１の状態を示すレンズ状態データを定期的に要求する（Ｓ３１７）。レンズ状態データは、例えば、ズームレンズ１１２によるズーム焦点距離情報、フォーカスレンズ１１０の位置情報、絞り１１６の絞り値情報、および、ズームレバー１１８が操作されたことを示すズームレバー操作情報等を含む。レンズ状態データの要求に対して、レンズコントローラ１２０は、カメラコントローラ１５３に対して、レンズ状態データを送信することにより応答する（Ｓ３１８）。
【００５９】
以上のように、カメラボディ１０２と交換レンズ１０１とは、カメラボディ１０２と交換レンズ１０１との間で必要なデータの要求および送信することにより、初期動作を完了する。
【００６０】
ここで、ズームレンズ１１２の最大駆動速度の決定方法（Ｓ３１６）の詳細について説明する。レンズコントローラ１２０は、カメラコントローラ１５３から収音特性情報を受信すると、受信した収音特性情報と、交換レンズ１０１のフラッシュメモリ１２２に記憶された騒音情報と、ズームレンズ１１２の最大駆動速度の決定のためのテーブルとを参照する。
【００６１】
例えば、騒音情報が図５Ａで示される情報を含む場合、騒音情報３０１は、低速駆動時のズームレンズ１１２から発生する騒音の大きさが「小」であることと、高速駆動時のズームレンズ１１２から発生する騒音の大きさが「中」であることとを示す。なお、騒音情報３０１は、交換レンズ１０１の種類に従って変更される。
【００６２】
また、例えば、テーブルが図５Ｂに示される情報を含む場合、テーブル３０２は、収音特性情報によって示されるカメラボディ１０２の収音特性と騒音情報によって示される交換レンズ１０１の騒音の大きさとの組み合わせが指し示す欄に記号「○」が存在する場合、その騒音の大きさに対応する駆動速度でのズームレンズ１１２の駆動は設定可能であることを示す。これは、テーブル３０２において記号「○」である騒音の大きさに対応する駆動速度でズームレンズ１１２が駆動されるとき、マイクロホン１８０がズームレンズ１１２の駆動音を騒音として収音する可能性は低いからである。
【００６３】
また、テーブル３０２は、収音特性情報によって示されるカメラボディ１０２の収音特性と騒音情報によって示される交換レンズ１０１の騒音の大きさとの組み合わせが指し示す欄に記号「×」が存在する場合、その騒音の大きさに対応する駆動速度でのズームレンズ１１２の駆動は設定不可であることを示す。これは、テーブル３０２において記号「×」である騒音の大きさに対応する駆動速度でズームレンズ１１２が駆動されるとき、マイクロホン１８０がズームレンズ１１２の駆動音を騒音として収音する可能性が高いからである。
【００６４】
レンズコントローラ１２０は、以上のような情報を含むテーブル３０２を参照し、ズームレンズ１１２の設定可能な駆動速度のうち最大の駆動速度をズームレンズ１１２の最大駆動速度に決定する。
【００６５】
テーブル３０２は、例えば、カメラボディ１０２の収音特性が「弱」の場合、ズームレンズ１１２の騒音の大きさが「小」、「中」および「大」のいずれであっても、記号「○」を示す。したがって、低速駆動時および高速駆動時のズームレンズ１１２の騒音の大きさが「小」、「中」および「大」のいずれであっても、ズームレンズ１１２の最大駆動速度は高速に決定される。
【００６６】
例えば、低速駆動時のズームレンズ１１２の騒音の大きさが「中」であり、高速駆動時のズームレンズ１１２の騒音の大きさが「大」である場合、ズームレンズ１１２の駆動速度が高速および低速のいずれであっても、テーブル３０２が記号「○」を示す。よって、本例では、ズームレンズ１１２の最大駆動速度は高速に決定される。
【００６７】
また、カメラボディ１０２の収音特性が「中」の場合、テーブル３０２は、ズームレンズ１１２の騒音の大きさが「小」または「中」であれば「○」を示し、ズームレンズ１１２の騒音の大きさが「大」であれば「×」を示す。したがって、例えば、高速駆動時のズームレンズ１１２の騒音の大きさが「中」であるとき、カメラボディ１０２の収音特性が「中」であればこの騒音は収音される可能性が低いので、ズームレンズ１１２の駆動速度は高速に設定可能である。すなわち、本例では、ズームレンズ１１２の最大駆動速度は高速に決定される。
【００６８】
また、高速駆動時のズームレンズ１１２の騒音の大きさが「大」であり、低速駆動時のズームレンズ１１２の騒音の大きさが「中」である場合を考える。この場合、カメラボディ１０２の収音特性が「中」であるので、高速駆動時のズームレンズ１１２の騒音（「大」）は、収音される可能性が高い。よって、ズームレンズ１１２の駆動速度を高速に設定することはできない。一方、低速駆動時のズームレンズ１１２の騒音（「小」）は、カメラボディ１０２の収音特性が「中」であるので、収音される可能性が低い。よって、ズームレンズ１１２の駆動速度を低速に設定することは可能である。したがって、本例では、ズームレンズ１１２の最大駆動速度は低速に決定される。
【００６９】
また、カメラボディ１０２の収音特性が「強」の場合、テーブル３０２は、ズームレンズ１１２の騒音の大きさが「小」であるとき記号「○」を、ズームレンズ１１２の騒音の大きさが「中」または「大」であるとき記号「×」を示す。よって、例えば、高速駆動時のズームレンズ１１２の騒音の大きさが「中」または「大」であり、低速駆動時のズームレンズ１１２の騒音の大きさが「小」であるとき、ズームレンズ１１２の駆動速度は高速に設定できないが、低速には設定できる。したがって、本例では、ズームレンズ１１２の最大駆動速度は低速に決定される。
【００７０】
また、高速駆動時のズームレンズ１１２の騒音の大きさが「大」であり、低速駆動時のズームレンズ１１２の騒音の大きさが「中」であるとき場合、テーブル３０２によれば、ズームレンズ１１２の駆動速度は、高速および低速のいずれにも設定できない。この場合、例外的に、ズームレンズ１１２の最大駆動速度は低速に設定される。なお、この場合、液晶モニタ１６３は、ズームレンズ１１２の駆動に起因する騒音が収音される恐れがあることを示す情報を表示してもよい。
【００７１】
＜２−３．ズーム動作＞
図６を参照して、本実施形態におけるズーム動作について説明する。
【００７２】
交換レンズ１０１のズームレバー１１８が使用者の操作を受け付けると、レンズコントローラ１２０はズームレバー１１８の操作を検出する（Ｓ４１１）。レンズコントローラ１２０は、カメラコントローラ１５３から定期的に送信されるレンズ状態データの要求（Ｓ４１２）を受信すると、ズームレバー１１８が操作されたことを示すズームレバー操作情報を含んだレンズ状態データを返信する（Ｓ４１３）。
【００７３】
カメラコントローラ１５３は、受信したズームレバー操作情報に基づいてズームレバー１１８が操作されたことを把握すると、液晶モニタ１６３にレンズ状態データに含まれるズーム焦点距離情報を表示する（Ｓ４１４）。ズーム焦点距離情報は、ズームレンズ１１２の位置によって決まる焦点距離を使用者に提示するために、表示される。液晶モニタ１６３は、ズーム焦点距離情報を表示する代わりに、ズームレンズ１１２の位置のみを表示してもよいし、焦点距離から算出されるズーム倍率を表示してもよい。
【００７４】
一方、レンズコントローラ１２０はズームレバー１１８が操作されると、初期動作において決定された最大駆動速度でのズームレンズ１１２の駆動を開始する（Ｓ４１５）。カメラコントローラ１５３は、ズームレバー１１８が操作を受け付けている間にも、定期的にレンズ状態データを要求する（Ｓ４１６）。レンズコントローラ１２０は、レンズ状態データの要求を受信すると、レンズ状態データをカメラコントローラ１５３へ送信する（Ｓ４１７）。このとき、ズームレンズ１１２が駆動されているので、カメラコントローラ１５３へ送信されるレンズ状態データに含まれるズーム焦点距離情報は逐次更新される。カメラコントローラ１５３は、受信したレンズ状態データに含まれるズーム焦点距離情報に基づいて、液晶モニタ１６３に表示されたズーム焦点距離情報の表示を更新する（Ｓ４１８）。このように、カメラコントローラ１５３は、ズームレンズ１１２の駆動中にも、レンズ状態データを交換レンズ１０１から取得することにより、液晶モニタ１６３に表示されるズーム焦点距離情報を更新する。これにより、デジタルカメラ１００は、ズームレンズ１１２の駆動状態および／または焦点距離を使用者に提示できる。
【００７５】
デジタルカメラ１００の使用者は、交換レンズ１０１のズーム倍率が所望の倍率に達すると、ズームレバー１１８の操作をやめる。このときレンズコントローラ１２０は、ズームレバー１１８の操作が終了したことを検出する（Ｓ４２１）。レンズコントローラ１２０は、ズームレバー１１８の操作の終了を検出すると、ズームレンズ駆動部１１３に停止命令を発してズームレンズ１１２の駆動を終了する（Ｓ４２２）。
【００７６】
ズームレンズ１１２の駆動の終了後、レンズコントローラ１２０は、カメラコントローラ１５３によって定期的に送信されるレンズ状態データの要求（Ｓ４２３）を受信すると、最終的にズームレンズ１１２が止まった位置に対応するズーム焦点距離情報およびズームレバー１１８の操作が終了されたことを示すズームレバー操作情報を含むレンズ状態データを、送信する（Ｓ４２４）。
【００７７】
なお、本例では、ズームレバー１１８が操作されたとき、ズームレンズ１１２が最大駆動速度で駆動された。しかし、レンズコントローラ１２０が、ズームレバー１１８が倒された角度に基づいてズームレンズ１１２の駆動速度を決定してもよい。ただしその場合、ズームレバー１１８の角度に基づく駆動速度が最大駆動速度以上のときは、ズームレンズ１１２は最大駆動速度で駆動される。そしてズームレバー１１８の角度に基づく駆動速度が最大駆動速度未満のときは、ズームレンズ１１２はズームレバー１１８の角度に基づく駆動速度で駆動される。
【００７８】
また、ズームリング１１５が操作されたとき、レンズコントローラ１２０は、ズームレンズ１１５の回転位置および／または回転速度に基づいてズームレンズ１１２の駆動速度を決定する。この場合、ズームレバー１１８が操作された場合と同様に、ズームリング１１５の操作内容に基づく駆動速度が最大駆動速度以上のときは、ズームレンズ１１２は最大駆動速度で駆動される。そしてズームリング１１５の操作内容に基づく駆動速度が最大駆動速度未満のときは、ズームレンズ１１２はズームリング１１５の操作内容に基づく駆動速度で駆動される。
【００７９】
＜３．本実施形態のまとめ＞
以上の通り、本実施形態の交換レンズ１０１は、カメラボディ１０２に装着可能である。交換レンズ１０１は、被写体像の画角を変更可能なズームレンズ１１２と、カメラボディ１０２の収音特性を示す情報である収音特性情報をカメラボディ１０２から受信し、ズームレンズ１１２の駆動を制御するレンズコントローラ１２０と、を備える。レンズコントローラ１２０は、収音特性情報に基づいて、ズームレンズ１１２の設定可能な駆動速度を決定する。
【００８０】
また、本実施形態のカメラボディ１０２は、交換レンズ１０１を装着可能である。カメラボディ１０２は、周囲の音声を収音するマイクロホン１８０と、マイクロホン１８０の収音特性を示す情報である収音特性情報を記憶するフラッシュメモリ１５６と、収音特性情報を交換レンズ１０１に送信するカメラコントローラ１５３と、を備える。
【００８１】
このような交換レンズ１０１およびカメラボディ１０２によれば、交換レンズ１０１は、カメラボディ１０２から送信された収音特性情報に基づいて、ズームレンズ１１２の設定可能な駆動速度を決定する。これにより、カメラボディ１０２のマイクロホン１８０によって収音されるズームレンズ１１２の駆動に起因する騒音を従来より低減することが可能となる。
【００８２】
また、交換レンズ１０１およびカメラボディ１０２によれば、交換レンズ１０１は、収音特性情報に基づいて決定されたズームレンズ１１２の駆動速度がとりうる値の中で最大の値を最大駆動速度に決定する。そして交換レンズ１０１は、ズームレンズ１１２を最大駆動速度で駆動する。これにより、交換レンズ１０１は、ズームレンズ１１２を、ズームレンズ１１２の駆動に起因する騒音の収音を従来より抑制しつつ、可能な限り速く駆動できる。
【００８３】
また、交換レンズ１０１およびカメラボディ１０２によれば、交換レンズ１０１は、ズームレバー１１８および／またはズームリング１１５によって受け付けられた操作内容に基づいてズームレンズ１１２の駆動速度を決定する。そして交換レンズ１０１は、決定された駆動速度が最大駆動速度以上である場合、ズームレンズ１１２を最大駆動速度で駆動し、決定された駆動速度が最大駆動速度未満である場合は、ズームレンズ１１２を決定された駆動速度で駆動する。これにより、交換レンズ１０１は、ズームレンズ１１２の駆動に起因する騒音の収音を従来より抑制しつつ、使用者のズーム操作に可能な限り対応した駆動速度でズームレンズ１１２を駆動できる。
【００８４】
また、交換レンズ１０１およびカメラボディ１０２は、騒音収音の低減のための防音構成を別途必要としないことにより、防音構成を別途必要とする交換レンズおよびカメラボディに比べて、装置の大型化を抑制することが可能である。
【００８５】
＜４．他の実施形態＞
上記実施形態の思想は、以上で説明された実施形態に限定されない。種々の実施形態が考えられてもよい。以下、上記実施形態の思想を適用できる他の実施形態について説明する。
【００８６】
（１）上記実施形態では、ズームレンズ１１２の駆動速度は「高速」および「低速」のいずれかが設定された。そして騒音情報は、ズームレンズ１１２の駆動速度が「高速」および「低速」の場合のそれぞれについて騒音の大きさを示した。しかし、次のようにしてもよい。ズームレンズ１１２の駆動速度は、「高速」および「低速」の２段階でなく、３段階以上の駆動速度の中のいずれかの駆動速度に設定されてもよい。また、ズームレンズ１１２の駆動速度は、無段階の駆動速度で設定されてもよい。ただし、ズームレンズ１１２の駆動速度が３段階以上の駆動速度の中のいずれかに設定される場合、またはズームレンズ１１２の駆動速度が無段階の駆動速度で設定される場合、騒音情報は、ズームレンズ１１２が設定されうる駆動速度に対応するズームレンズ１１２の騒音の大きさを含む。騒音情報が無段階の駆動速度に関する騒音の大きさを含む場合、騒音情報は、騒音の大きさを算出するための計算式および／またはアルゴリズム等を含んでもよい。
【００８７】
（２）上記実施形態では、カメラボディ１０２の電源投入時の初期動作において、交換レンズ１０１とカメラボディ１０２との間の通信は、基本的にカメラボディ１０２の要求に対して交換レンズ１０１が応答するものであった。しかし、上記実施形態の思想はこれに限定されない。交換レンズ１０１が収音特性情報をカメラボディ１０２に対して要求して、カメラボディ１０２がこの要求に応答して収音特性情報を交換レンズ１０１に送信してもよい。
【００８８】
（３）上記実施形態では、交換レンズ１０１がズーム操作のためのズームレバー１１８を備えた。しかしデジタルカメラ１００が次のような構成であってもよい。カメラボディ１０２がズーム操作のための操作部材を備えてもよい。すなわち、カメラ側操作部１７０が、ズーム操作用の部材を含んでもよい。この場合、カメラボディ１０２はカメラ側操作部１７０によって受け付けられたズーム操作を示す情報を交換レンズ１０１に通知し、交換レンズ１０１は通知された情報に基づいてズームレンズ駆動部１１３を駆動する。
【００８９】
（４）上記実施形態では、ズームレンズ１１２の駆動に起因する騒音を低減するためにズームレンズ１１２の駆動速度が調節された。しかし、他の部材の駆動に起因する騒音を低減するためにその部材の駆動速度が調節されてもよい。例えば、フォーカスレンズ１１０および／または絞り１１６の駆動に起因する騒音を低減するために、フォーカスレンズ１１０および／または絞り１１６の駆動速度が調節されてもよい。
【００９０】
（５）上記実施形態では、ズームレンズ１１２の最大駆動速度を決定するために参照されるテーブル３０２は、交換レンズ１０１のフラッシュメモリ１２２に記憶された。しかし、テーブル３０２がフラッシュメモリ１２２以外の記憶手段に記憶されてもよい。例えば、カメラボディ１０２のフラッシュメモリ１５６がテーブル３０２を記憶してもよい。この場合、レンズコントローラ１２０はテーブル３０２をカメラボディ１０２側からレンズマウント１３０およびボディマウント１４０を通じて取得する。
【００９１】
（６）上記実施形態では、ズームレンズ１１２の設定可能な駆動速度は、テーブル３０２を参照することで決定された。しかしそれ以外の方法で、設定可能な駆動速度が決定されてもよい。例えば、所定の数式またはアルゴリズムを用いて、収音特性から、設定可能な駆動速度が決定されてもよい。
【００９２】
以上、本開示における技術の例示として、実施形態を説明した。そのために、詳細な説明および添付の図面を開示した。よって、詳細な説明および添付の図面に記載された構成要素の中には、課題解決のために必須でない構成要素が含まれることがある。したがって、それらの必須でない構成要素が、詳細な説明および添付の図面に記載されているからといって、それらの必須でない構成要素が必須であると直ちに認定されるべきではない。
【００９３】
また、上記実施形態は、本開示における技術を例示するためのものである。よって、上記実施形態は、特許請求の範囲またはその均等の範囲において種々の変更、置換、付加および／または省略等を行なわれてもよい。
【産業上の利用可能性】
【００９４】
本開示は、交換レンズ式のデジタルカメラ、交換レンズ式のカメラ付き携帯電話などの、交換レンズおよび撮像装置等に適用可能である。
【符号の説明】
【００９５】
１００：デジタルカメラ
１０１：交換レンズ
１０２：カメラボディ
１１０：フォーカスレンズ
１１１：フォーカスレンズ駆動部
１１２：ズームレンズ
１１３：ズームレンズ駆動部
１１５：ズームリング
１１６：絞り
１１７：絞り駆動部
１１８：ズームレバー
１２０：レンズコントローラ
１２１：ＤＲＡＭ（レンズ側）
１２２：フラッシュメモリ（レンズ側）
１３０：レンズマウント
１４０：ボディマウント
１５０：ＣＭＯＳイメージセンサ
１５１：タイミングジェネレータ（ＴＧ）
１５２：アナログ・フロント・エンド（ＡＦＥ）
１５３：カメラコントローラ
１５４：電源
１５５：ＤＲＡＭ（ボディ側）
１５６：フラッシュメモリ（ボディ側）
１６０：レリーズ釦
１６２：タッチパネル
１６３：液晶モニタ
１６４：メモリカード
１６５：カードスロット
１７０：カメラ側操作部
１８０：マイクロホン
２０４：中央釦
２０５：十字釦
３０１：騒音情報
３０２：テーブル
【図１】
2013092769.tif 000003
【図２】
2013092769.tif 000004
【図３】
2013092769.tif 000005
【図４】
2013092769.tif 000006
【図５Ａ】
2013092769.tif 000007
【図５Ｂ】
2013092769.tif 000008
【図６】
2013092769.tif 000009